(57)【要約】【課題】外乱光の影響を受けずに原稿の主走査方向のサイズを検出することできる原稿サイズ検出装置、画像読取装置、及び原稿サイズ検出方法を提供すること。【解決手段】画像読取部２により、カバー５を開いた状態で、ランプを消灯して原稿を主走査方向に読み取り第一の読取結果を取得し、カバー５を開いた状態で、ランプを点灯して主走査方向に原稿を読み取り第二の読取結果を取得し、カバー５を閉じた状態で、ランプを点灯して主走査方向に原稿を読み取り第三の読取結果を取得し、原稿サイズ検出部３により、第三の読取結果から第二の読取結果を引きこの結果に第一の読取結果を足した演算データの値が所定値以下に変化する前記主走査方向の演算データの位置に基づいて前記原稿のエッジ位置を検出し、このエッジ位置に基づいて原稿の主走査方向のサイズを検出する。【選択図】      図1
2014179885.tif 000002
【特許請求の範囲】
【請求項１】
読み取る原稿を設定するガラスと、
閉じた状態で前記ガラスを覆い前記ガラスを覆う側が白色のカバーと、
前記カバーを開いた状態で、原稿読取用ランプを消灯して前記設定された前記原稿を主走査方向に読み取り第一の読取結果を取得し、前記カバーを開いた状態で、前記原稿読取用ランプを点灯して前記主走査方向に前記原稿を読み取り第二の読取結果を取得し、前記カバーを閉じた状態で、前記原稿読取用ランプを点灯して前記主走査方向に前記原稿を読み取り第三の読取結果を取得する画像読取部と、
前記第三の読取結果から前記第二の読取結果を引きこの結果に前記第一の読取結果を足した演算データの値が所定値以下に変化する前記主走査方向の前記演算データの位置に基づいて前記原稿のエッジ位置を検出し、このエッジ位置に基づいて前記原稿の主走査方向のサイズを検出する原稿サイズ検出部と、
を備えたことを特徴とする原稿サイズ検出装置。
【請求項２】
前記原稿サイズ検出部は、前記第二の読取結果から前記第一の読取結果を引き正の部分を取得して第一の差分データとし、前記第三の読取結果から前記第一の差分データを引いた第二の差分データ内の、注目データの値と、注目データの周囲のデータの値の平均との差分を前記主走査方向に順次取り、この差分が所定の閾値以下になったときの前記注目データの位置に基づいて前記原稿のエッジ位置を検出する、
ことを特徴とする請求項１記載の原稿サイズ検出装置。
【請求項３】
前記画像読取部は、前記カバーを、方形面を有する前記ガラス面の前記原稿を設定する位置の主走査方向の端部の外側を軸にして開いた前記ガラス面からの所定の第一の角度の開状態にて前記第一の読取結果を取得し、前記カバーを、前記ガラス面からの前記第一の角度より少なくとも小さな角度である所定の第二の角度の開状態にて前記第二の読取結果を取得する、
ことを特徴とする請求項２記載の原稿サイズ検出装置。
【請求項４】
前記原稿サイズ検出部は、検出した前記エッジ位置と、読み取る原稿を設定する前記ガラス面の原稿設定位置とに基づいて前記原稿の前記主走査方向のサイズを検出する、
ことを特徴とする請求項２又は３記載の原稿サイズ検出装置。
【請求項５】
前記原稿を設定する前記ガラスの副走査方向に沿って設定し、前記原稿の副走査方向のサイズを検出する複数の副走査方向サイズセンサを更に備え、
前記原稿サイズ検出部は、前記検出した前記原稿の主走査方向のサイズと、前記複数の副走査方向サイズセンサが検出した前記原稿の副走査方向のサイズとに基づき、前記原稿サイズを決定する、
ことを特徴とする請求項２、３又は４記載の原稿サイズ検出装置。
【請求項６】
請求項５記載の原稿サイズ検出装置と、
印刷部と、を備え、
前記原稿サイズ検出装置の前記画像読取部は、読取り手段を備えたキャリッジを有し、前記キャリッジをスキャンさせてガラス上の原稿を読み取り、この読み取ったデータを出力し、前記印刷部は、前記原稿サイズ検出装置が検出した前記原稿サイズの用紙に前記読み取ったデータを印刷する、
ことを特徴とする画像読取装置。
【請求項７】
情報処理装置に接続され、前記読み取ったデータのうちの前記原稿サイズ検出装置が検出した前記原稿サイズに応じた範囲の前記読み取ったデータを前記情報処理装置に転送する通信部を、更に備えた、
ことを特徴とする請求項６記載の画像読取装置。
【請求項８】
閉じた状態で原稿を読み取る際に原稿を設定する方形面を有するガラスを覆い、前記ガラスを覆う側が白色のカバーを、開いた状態にして原稿読取用ランプを消灯し前記ガラスに設定された原稿を主走査方向に読み取り第一の読取結果を取得し、
前記カバーを開いた状態で、前記原稿読取用ランプを点灯して前記主走査方向に前記原稿を読み取り第二の読取結果を取得し、
前記カバーを閉じた状態で、前記原稿読取用ランプを点灯して前記主走査方向に前記原稿を読み取り第三の読取結果を取得し、
前記第三の読取結果から前記第二の読取結果を引き、
この結果に前記第一の読取結果を足した演算データの値が所定値以下に変化する前記主走査方向の前記演算データの位置に基づいて前記原稿のエッジ位置を検出し、
このエッジ位置に基づいて前記原稿の主走査方向のサイズを検出する、
ことを特徴とする原稿サイズ検出方法。
【請求項９】
前記第二の読取結果から前記第一の読取結果を引き正の部分を取得して第一の差分データとし、
前記第三の読取結果から前記第一の差分データを引いた第二の差分データ内の、注目データの値と、注目データの周囲のデータの値の平均との差分を前記主走査方向に順次取り、この差分が所定の閾値以下になったときの前記注目データの位置に基づいて前記原稿のエッジ位置を検出する、
ことを特徴とする請求項８記載の原稿サイズ検出方法。
【請求項１０】
前記カバーを、方形面を有する前記ガラス面の前記原稿を設定する位置の主走査方向の端部の外側を軸にして開いた前記ガラス面からの所定の第一の角度の開状態にて前記第一の読取結果を取得し、
前記カバーを、前記ガラス面からの前記第一の角度より少なくとも小さな角度である所定の第二の角度の開状態にて前記第二の読取結果を取得する、
ことを特徴とする請求項９記載の原稿サイズ検出方法。
【発明の詳細な説明】
【技術分野】
【０００１】
本発明は、原稿サイズ検出装置、画像読取装置、及び原稿サイズ検出方法に関し、外乱光の影響を受けずに原稿の主走査方向のサイズを検出することできる原稿サイズ検出装置、画像読取装置、及び原稿サイズ検出方法に関する。
【背景技術】
【０００２】
デジタル複合機等に搭載されている画像読取装置には、読取り手段を備えたキャリッジをスキャンさせてプラテンガラス上の原稿を読み取るブックスキャナ方式が知られている。この画像読取装置は、ブックスキャナ方式で原稿をスキャンする場合、使用者がプラテンガラス上に原稿をセットするが、この際、通常、セットした原稿のサイズを自動で検出する。そして、例えば、使用者の操作により原稿をコピーする場合、画像読取装置は、自動で検出した原稿のサイズの用紙が用紙カセットにない場合には、アラーム等の報知を行い使用者に知らせる。
【０００３】
自動で原稿のサイズを検出する原稿サイズ検出装置が特許文献１に開示されている。特許文献１に開示の原稿サイズ検出装置を図８に示す。図８に示す原稿サイズ検出装置は、ユーザの操作により、原稿が原稿載置台上に載置された後、原稿マットが閉じられる。このとき、原稿マット開閉スイッチがオンされた後、原稿マットが完全に閉じられるまでの間に、光源を消灯した状態で、撮像素子により原稿載置台上に載置された原稿を１ライン読み取る。その後、光源を点灯した状態で、撮像素子により原稿載置台上に載置された原稿を１ライン読み取る。光源を消灯した状態で読み取った画像データには、図９の（ａ）に示すように外乱光が白の画素として読み込まれる。また、光源を点灯した状態で読み取った画像データには、図９の（ｂ）に示すように原稿のない部分は黒の画素として、また原稿の部分は白と黒の画素の混在として読み込まれる。また、外乱光の部分は白の画素として読み込まれる。そして、原稿サイズ検出装置は、光源を点灯した状態で読み取った画像データから、光源を消灯した状態で読み取った画像データを引くことにより、図９の（ｃ）に示すように、外乱光の影響を除去した画像データを取得する。そして、この画像データに基づいて原稿の主走査方向の端縁を判別する。さらに、第１反射型センサ及び第２反射型センサからの検出信号により、原稿の副走査方向側の端縁の概略位置を判別する。そして、判別した原稿の主走査方向の端縁と、原稿の副走査方向側の端縁の概略位置とに基づいて、原稿のサイズを検出する。
【先行技術文献】
【特許文献】
【０００４】
【特許文献１】特開２０００−１３８７９８号公報
【発明の概要】
【発明が解決しようとする課題】
【０００５】
上述した特許文献１に開示の原稿サイズ検出装置は、原稿マットが完全に閉じられるまでの間に、光源を点灯した状態、及び光源を消灯した状態で原稿を読み取る。そして、光源を点灯した状態で読み取った画像データから、光源を消灯した状態で読み取った画像データを引いて、外乱光の影響を除去した画像データを取得する。そして、この画像データに基づいて原稿の主走査方向の端縁を判別する。しかし、外乱光の影響を除去した画像データ（図９の（ｃ））で、原稿の端縁が得られるのは、図９の（ｃ）に示すように原稿の端縁部分が白色あるいは薄い色である場合のみである。このため、特許文献１に開示の原稿サイズ検出装置は、原稿の端縁部分の色が濃い場合（原稿の地の色が濃い場合、原稿に濃い色の枠がある場合等）は、原稿の主走査方向の端縁が得られないので、原稿の主走査方向のサイズを検出することができないという問題がある。
【０００６】
本発明の目的は、上記課題を解決して、外乱光の影響を受けずに原稿の主走査方向のサイズを検出することできる原稿サイズ検出装置、画像読取装置、及び原稿サイズ検出方法を提供することである。
【課題を解決するための手段】
【０００７】
本発明の原稿サイズ検出装置は、読み取る原稿を設定するガラスと、閉じた状態で前記ガラスを覆い前記ガラスを覆う側が白色のカバーと、前記カバーを開いた状態で、原稿読取用ランプを消灯して前記設定された前記原稿を主走査方向に読み取り第一の読取結果を取得し、前記カバーを開いた状態で、前記原稿読取用ランプを点灯して前記主走査方向に前記原稿を読み取り第二の読取結果を取得し、前記カバーを閉じた状態で、前記原稿読取用ランプを点灯して前記主走査方向に前記原稿を読み取り第三の読取結果を取得する画像読取部と、前記第三の読取結果から前記第二の読取結果を引きこの結果に前記第一の読取結果を足した演算データの値が所定値以下に変化する前記主走査方向の前記演算データの位置に基づいて前記原稿のエッジ位置を検出し、このエッジ位置に基づいて前記原稿の主走査方向のサイズを検出する原稿サイズ検出部と、を備えている、
本発明の画像読取装置は、本発明の原稿サイズ検出装置と、印刷部と、を備え、前記原稿サイズ検出装置の前記画像読取部は、読取り手段を備えたキャリッジを有し、前記キャリッジをスキャンさせてガラス上の原稿を読み取り、この読み取ったデータを出力し、前記印刷部は、前記原稿サイズ検出装置が検出した前記原稿サイズの用紙に前記読み取ったデータを印刷する、ようにしている。
【０００８】
本発明の原稿サイズ検出方法は、閉じた状態で原稿を読み取る際に原稿を設定する方形面を有するガラスを覆い、前記ガラスを覆う側が白色のカバーを、開いた状態にして原稿読取用ランプを消灯し前記ガラスに設定された原稿を主走査方向に読み取り第一の読取結果を取得し、前記カバーを開いた状態で、前記原稿読取用ランプを点灯して前記主走査方向に前記原稿を読み取り第二の読取結果を取得し、前記カバーを閉じた状態で、前記原稿読取用ランプを点灯して前記主走査方向に前記原稿を読み取り第三の読取結果を取得し、前記第三の読取結果から前記第二の読取結果を引き、この結果に前記第一の読取結果を足した演算データの値が所定値以下に変化する前記主走査方向の前記演算データの位置に基づいて前記原稿のエッジ位置を検出し、このエッジ位置に基づいて前記原稿の主走査方向のサイズを検出する、ようにしている。
【発明の効果】
【０００９】
本発明によれば、外乱光の影響を受けずに原稿の主走査方向のサイズを検出することできる原稿サイズ検出装置、画像読取装置、及び原稿サイズ検出方法を提供することができる。
【図面の簡単な説明】
【００１０】
【図１】本発明の第１の実施の形態に係る原稿サイズ検出装置の一例を示す図である。
【図２Ａ】本発明の第１の実施の形態に係る原稿サイズ検出装置で読み取った第一の読取結果の一例を示す図である。
【図２Ｂ】本発明の第１の実施の形態に係る原稿サイズ検出装置で読み取った第二の読取結果の一例を示す図である。
【図２Ｃ】本発明の第１の実施の形態に係る原稿サイズ検出装置で読み取った第三の読取結果の一例を示す図である。
【図３Ａ】本発明の第１の実施の形態に係る原稿サイズ検出装置で演算した第一の差分データの一例を示す図である。
【図３Ｂ】本発明の第１の実施の形態に係る原稿サイズ検出装置で演算した第二の差分データの一例を示す図である。
【図４】本発明の第２の実施の形態に係る原稿サイズ検出装置の一例を示す図である。
【図５Ａ】本発明の第２の実施の形態に係る原稿サイズ検出装置で演算した第一の差分データの一例を示す図である。
【図５Ｂ】本発明の第２の実施の形態に係る原稿サイズ検出装置で演算した第二の差分データの一例を示す図である。
【図６】原稿の定型サイズを決めるためのテーブルの一例を示す図である。
【図７】図６で示された各サイズの各原稿を、本発明の第２の実施の形態に係る原稿サイズ検出装置の突き当て位置に突き当てたときの状態の一例を示す図である。
【図８】関連技術における原稿サイズ検出装置を示す図である。
【図９】関連技術における原稿の読み取り画像データを示す図である。
【発明を実施するための形態】
【００１１】
次に、本発明の実施の形態について図面を参照して説明する。
（第１の実施の形態）
図１は、本発明の第１の実施の形態に係る原稿サイズ検出装置の一例を示す図である。
【００１２】
図１の（ａ）は、原稿サイズ検出装置１の斜視図、図１の（ｂ）は、原稿サイズ検出装置１の側面図である。
【００１３】
本実施の形態に係る原稿サイズ検出装置１は、ガラス４と、カバー５と、画像読取部２と、原稿サイズ検出部３とにより構成される。図１には、原稿を読み取るときに点灯するランプ（原稿読取用ランプ）と、カバー５の内側を白色にするために設定した白板も記載してある。
【００１４】
ガラス４は、例えば方形面を有するプラテンガラスであり、読み取る原稿を設定する。
【００１５】
カバー５は、プラテンカバーであり、筐体に開閉可能に接続され、閉じた状態でガラス４を覆い、ガラス４を覆う側（内側）に白板を有する。図１は開いた状態を示している。
【００１６】
画像読取部２は、カバー５を開いた状態で、ランプを消灯して、ガラス４面の原稿設定位置に設定された原稿を主走査方向に例えば１ライン読み取り、第一の読取結果を取得する。
原稿を画像読取部２に読み取らせるときには、原稿を、奥突き当て位置と左突き当て位置とに突き当てた原稿設定位置に設定する。また、カバー５を開いた状態で、ランプを点灯して主走査方向に原稿を例えば１ライン読み取り、第二の読取結果を取得する。そして、カバー５を閉じた状態で、ランプを点灯して主走査方向に原稿を例えば１ライン読み取り、第三の読取結果を取得する。
【００１７】
原稿サイズ検出部３は、第二の読取結果から第一の読取結果を引いて第一の差分データとする。そして、第三の読取結果から第一の差分データを引いて第二の差分データとする。すなわち、原稿サイズ検出部３は、第三の読取結果から第二の読取結果を引きこの結果に第一の読取結果を足した演算データを第二の差分データとする。そして、この第二の差分データの値が所定値以下に変化する主走査方向の第二の差分データの位置に基づいて原稿のエッジ位置を検出し、このエッジ位置に基づいて原稿の主走査方向のサイズを検出する。ここで、第一の読取結果、第二の読取結果、第三の読取結果、第一の差分データ、及び第二の差分データは、いずれも、所定の走査開始位置の１ライン分の画像データ（例えば、８，０００）であり、例えば主走査方向に、順番に記憶部（不図示）に格納する。
【００１８】
次に、本実施の形態の原稿サイズ検出装置の動作を、図２Ａ、図２Ｂ、図２Ｃ、図３Ａ、図３Ｂを使用して説明する。
【００１９】
図２Ａは、第一の読取結果の一例を示す図である。縦軸はデータの階調（明度：例えば０から２５５の値）を表し、例えば、０が真黒、２５５が真白である。０から２５５の中間はグレーである。横軸はガラス４の手前側から、奥突き当て位置までの1ラインデータの位置を表す。この図は、カバー５を開いた状態でランプを消灯し、走査開始位置で1ライン分読み取った画像データである。外乱光による影響部分が白色データで示されている。原稿部分のデータは、ランプが消灯されているので黒色データである。
【００２０】
図２Ｂは、第二の読取結果の一例を示す図である。図２Ａと同様に、縦軸はデータの階調（明度）を表し、横軸は1ラインデータの位置を表す。この図は、カバー５を開いた状態でランプを点灯して読み取った画像データである。但し、図２Ａで示した第一の読取結果を読み取ったときよりも若干カバー５を閉じた状態で読み取ったときの一例を示している。第一の読取結果を読み取ったときよりも若干カバー５が閉じているので、外乱光による影響が若干少なくなり白色データの部分が、図２Ａで示した白色データの部分より全体的に小さくなっている。原稿のない部分のデータは、黒色データである。原稿部分のデータは、ランプが点灯されているので白色データと黒色データが混在している。ここでは、手前側の端縁部分の色が濃い原稿の例を示している。
【００２１】
図２Ｃは、第三の読取結果の一例を示す図である。図２Ａと同様に、縦軸はデータの階調（明度）を表し、横軸は1ラインデータの位置を表す。この図は、カバー５を閉じた状態でランプを点灯して読み取った画像データであり、原稿部分のデータは、ランプが点灯されているので白色データと黒色データが混在している。また、カバー５が閉じられているので、原稿で隠れていない白板部分のデータは白色データであり、外乱光による影響部分はない。
【００２２】
図３Ａは、第一の差分データの一例を示す図である。縦軸はデータの階調（明度）に対応するデータを表し、横軸は1ラインデータの位置を表す。第一の差分データは、第二の読取結果から第一の読取結果を引いたデータであるので、原稿部分のデータがそのまま残り、外乱光による影響部分は負のデータとなっている。
【００２３】
図３Ｂは、第二の差分データの一例を示す図である。縦軸はデータの階調（明度）に対応するデータを表し、横軸は1ラインデータの位置を表す。第二の差分データは、第三の読取結果から第一の差分データを引いたデータであるので、原稿部分のデータが消えている。そして、原稿で隠れていない白板部分のデータに第一の差分データ中の負のデータとして残った外乱光による影響部分が乗ったデータとなる。したがって、原稿で隠れていない白板部分のデータの端部が、原稿のエッジ位置となる。
【００２４】
ここで、ユーザにより原稿がガラス４面の原稿設定位置に設定され、画像読取部２は、ユーザの所定の操作（例えば、開始を示すスイッチの押下、閉じる方向へカバー５を動かす等）を検出する。例えば、ユーザの所定の操作を、開始スイッチ（不図示）や、カバー５の閉方向への動作を検出するセンサ（不図示）に基づいて検出する。そして、カバー５が開いた状態でランプを消灯して原稿を主走査方向に例えば１ライン読み取り、図２Ａに示す第一の読取結果を取得する。次に、画像読取部２は、カバー５が開いた状態（例えば、第一の読取結果のときよりも閉じた状態）でランプを点灯させて原稿を主走査方向に例えば１ライン読み取り、図２Ｂに示す第二の読取結果を取得する。そして、画像読取部２は、カバー５が完全に閉じられたことを、例えばカバー閉センサ（不図示）により検出し、ランプを点灯させて原稿を主走査方向に例えば１ライン読み取り、図２Ｃに示す第三の読取結果を取得する。
【００２５】
次に、原稿サイズ検出部３は、第二の読取結果から第一の読取結果を引いて、図３Ａに示す第一の差分データを求める。そして、第三の読取結果から第一の差分データを引いて、図３Ｂに示す第二の差分データを求める。第二の差分データは、原稿で隠れていない白板部分のデータのみとなっている。したがって、原稿で隠れていない白板部分のデータの端部が、原稿のエッジ位置となる。そして、原稿サイズ検出部３は、第二の差分データの値が所定値以下に変化する主走査方向の１ライン中の位置（図３Ｂの白色から黒色に落ちる位置）を検出し、これを、原稿のエッジ位置とする。ここで、所定値は真黒の明度に近い値、例えば“５”であり、この値にこだわることなく、装置ごとに適宜変更して良い。そして、原稿サイズ検出部３は、原稿のエッジ位置と、予め定めた奥突き当て位置とから原稿の主走査方向のサイズを検出する。
【００２６】
このように、本発明の第１の実施の形態によれば、原稿サイズ検出部により、原稿で隠れていない白板部分のデータのみの第二の差分データを求め、このデータから白板部分のデータの端部の位置、すなわち、原稿のエッジの位置を検出する。このため、原稿の端縁部分の色が濃い場合であっても、外乱光の影響を受けずに原稿の主走査方向のサイズを検出できる。
（第２の実施の形態）
図４は、本発明の第２の実施の形態に係る原稿サイズ検出装置の一例を示す図である。
【００２７】
図４の（ａ）は、原稿サイズ検出装置１の斜視図、図４の（ｂ）は、原稿サイズ検出装置１の側面図である。
【００２８】
本発明の第２の実施の形態は、第１の実施の形態に、原稿の副走査方向のサイズを検出する複数の副走査方向サイズセンサを更に設けている。また、第１の実施の形態の原稿サイズ検出装置１の原稿サイズ検出部３と画像読取部２をより具体化したものである。したがって、主に第１の実施の形態と相違する部分について説明する。
【００２９】
本実施の形態に係る原稿サイズ検出装置１は、ガラス４と、カバー５と、画像読取部２と、原稿サイズ検出部３と、複数の副走査方向サイズセンサ（副走査方向サイズセンサＡ７、副走査方向サイズセンサＢ８）とにより構成される。
【００３０】
図４には、原稿を読み取るときに点灯するランプ（原稿読取用ランプ）、カバー５の閉じ角を検出する角度センサ６、カバー５が完全に閉じられたことを検出するカバー閉センサ、ガラス４上を走査し原稿の画素データを読み取るキャリッジも記載してある。
【００３１】
副走査方向サイズセンサＡ７、及び副走査方向サイズセンサＢ８は、原稿を設定するガラス４の奥突き当て位置近傍の副走査方向に沿って設定され、これらの副走査方向サイズセンサのＯＮ、ＯＦＦに基づいて、原稿の副走査方向のサイズを検出する。
【００３２】
原稿サイズ検出部３は、図２Ｂで示す第二の読取結果から図２Ａで示す第一の読取結果を引き正の部分を取得して第一の差分データとし、図２Ｃで示す第三の読取結果からこの第一の差分データを引いて第二の差分データを求める。そして、第二の差分データ内の、注目データの値と、注目データの周囲のデータの値の、例えば１０データの平均との差分を主走査方向に順次取る。そして、この差分が所定の閾値以下になったときの注目データの主走査方向の位置に基づいて原稿のエッジ位置を検出する。
また、原稿サイズ検出部３は、原稿の主走査方向のサイズと、複数の副走査方向サイズセンサが検出した原稿の副走査方向のサイズとに基づき、原稿サイズを決定する。原稿の主走査方向のサイズは、原稿のエッジ位置と、読み取る原稿を設定するガラス４面の原稿設定位置の端部である奥突き当て位置とから求めたものである。
【００３３】
画像読取部２は、カバー５を、ガラス４面の原稿設定位置の主走査方向の端部（奥突き当て位置）の外側を軸にして、ガラス４面から所定の第一の角度開いた開状態にして、第一の読取結果を取得する。また、カバー５を、ガラス４面から所定の第二の角度開いた開状態にして第二の読取結果を取得する。ここで、第二の角度は第一の角度より少なくとも小さな角度である。小さな角度になるほど外乱光の影響が少なくなる。
【００３４】
角度センサ６は、閉じる方向に動くカバー５により押され、その押下距離に応じてカバー５の角度を検出する、例えば縦長棒と遮光センサとの組である。そして、例えば、この棒の先端により、所定の位置に設けられた遮光センサの光を遮断することにより、所定の位置に応じたカバー５の角度を検出する。遮光センサの数を増やすことにより検出する角度を増やすことができる。
【００３５】
次に、本実施の形態の原稿サイズ検出装置の動作を、図２Ａ、図２Ｂ、図２Ｃ、図５Ａ、図５Ｂ、図６、図７を使用して説明する。
【００３６】
図２Ａ、図２Ｂ、及び図２Ｃは、第１の実施の形態で説明したものである。
【００３７】
図５Ａは、第一の差分データの一例を示す図である。縦軸はデータの階調（明度）に対応するデータを表し、横軸は1ラインデータの位置を表す。第一の差分データは、図２Ｂで示す第二の読取結果から図２Ａで示す第一の読取結果を引き正の部分を取得したデータである。このため、原稿部分のデータがそのまま残り、外乱光による影響部分がなくなっている。
【００３８】
図５Ｂは、第二の差分データの一例を示す図である。縦軸はデータの階調（明度）に対応するデータを表し、横軸は1ラインデータの位置を表す。第二の差分データは、図２Ｃで示す第三の読取結果から図５Ａで示す第一の差分データを引いたデータであるので、原稿部分のデータが消えている。そして、原稿で隠れていない白板部分のデータのみのデータとなる。したがって、白板部分のデータの端部が、原稿のエッジ位置となる。
【００３９】
図６は、原稿の定型サイズを決めるためのテーブルである。副走査方向サイズセンサＡ７の検出結果と、副走査方向サイズセンサＢ８の検出結果と、原稿サイズ検出部３が求めた原稿の主走査方向のサイズとに対応させて原稿の定型サイズを決める。
テーブル内の主走査方向のサイズの範囲（Ｄ，Ｅ，Ｆ，Ｇ，Ｈ，Ｊ，Ｋ）は、次のように対応付けている。すなわち、検出した主走査方向のサイズＸ（単位はｍｍ）が、１４４＜Ｘ＜＝１６３の場合Ｄ、１６３＜Ｘ＜＝１９５の場合Ｅ、１９５＜Ｘ＜＝２１３の場合Ｆ、２１３＜Ｘ＜＝２２６の場合Ｇとする。また、２２６＜Ｘ＜＝２６２の場合Ｈ、２６２＜Ｘ＜＝２７５の場合Ｉ、２７５＜Ｘ＜＝２８９の場合Ｊ、２８９＜Ｘ＜＝３０１の場合Ｋとする。また、副走査方向サイズセンサＡ７と副走査方向サイズセンサＢ８に関しては、検出結果がＯＮのとき“１”、ＯＦＦのとき“０”である。一方、原稿の定型サイズＡ３、Ａ４、Ａ５、Ｂ４、及びＢ５、は、Ａ３、Ａ４、Ａ５、Ｂ４、及びＢ５のサイズであることを示し、Ｌｅｔｔｅｒは、レターサイズであることを示している。Ｓは、原稿の主走査方向の長さが副走査方向の長さより短いものであることを示している。Ｌは、原稿の主走査方向の長さが副走査方向の長さより長いものであることを示している。
【００４０】
図７は、図６で示された各サイズの各原稿を、ガラス４面の原稿設定位置の主走査方向の端部である奥突き当て位置と、副走査方向の端部である左突き当て位置とに突き当てたときの状態を示している。原稿を画像読取部２に読み取らせるときには、原稿は奥突き当て位置と左突き当て位置とに突き当てた原稿設定位置に設定する。
【００４１】
ここで、カバー５が開いた状態で、ユーザにより原稿がガラス４面の原稿設定位置に設定され、ユーザの操作によりカバー５が閉じる方向へ回転する。このときランプは消灯しており、キャリッジは走査開始位置に移動している。
【００４２】
画像読取部２は、カバー５が第一の角度になったことを角度センサ６に基づいて検出したときに、原稿を主走査方向に、例えば１ライン読み取り、図２Ａに示す第一の読取結果を取得する。
【００４３】
次に、画像読取部２は、ランプを点灯させ、カバー５が第二の角度になったことを角度センサ６に基づいて検出したときに、原稿を主走査方向に、例えば１ライン読み取り、図２Ｂに示す第二の読取結果を取得する。カバー５は、第二の角度になったときは、例えば、第一の角度のときよりも閉じた状態である。
【００４４】
そして、画像読取部２は、カバー５が完全に閉じられたことを、カバー閉センサにより検出したときに、ランプを点灯させたままで原稿を主走査方向に例えば１ライン読み取り、図２Ｃに示す第三の読取結果を取得する。
【００４５】
次に、原稿サイズ検出部３は、第二の読取結果から第一の読取結果を引き正の部分を取得して図５Ａで示す第一の差分データを求める。そして、第三の読取結果からこの第一の差分データを引いて、図５Ｂに示す第二の差分データを求める。原稿で隠れていない白板部分のデータの端部が、原稿のエッジ位置である。
【００４６】
そして、原稿サイズ検出部３は、第二の差分データ内の、注目データ（注目データ画素）の値（階調値）と、注目データ（注目データ画素）の周囲のデータ（データ画素）の値（階調値）の、例えば１０データの平均との差分を主走査方向に順次取る。ここでは、１０データの平均としたが、この値にこだわることなく、装置ごとに適宜変更して良い。そして、この差分が所定の閾値（グレーの明度、例えば“１２８”である。この値にこだわることなく、装置ごとに適宜変更して良い。）以下になったときの注目データの主走査方向の位置に基づいて原稿のエッジ位置を検出する。そして、原稿サイズ検出部３は、原稿のエッジ位置と、予め定めた奥突き当て位置とから原稿の主走査方向のサイズを検出する。
【００４７】
次に、原稿サイズ検出部３は、副走査方向サイズセンサＡ７と副走査方向サイズセンサＢ８の検出結果を取得する。そして、この検出結果と、検出した原稿の主走査方向のサイズとに基づいて、図６のテーブルを使用して、ガラス４に設定された原稿の定型サイズを決める。
【００４８】
このように、本発明の第２の実施の形態によれば、原稿サイズ検出部により、原稿で隠れていない白板部分のデータのみの第二の差分データを求め、このデータから白板部分のデータの端部の位置、すなわち、原稿のエッジの位置を検出する。このため、原稿の端縁部分の色が濃い場合であっても、外乱光の影響を受けずに原稿の主走査方向のサイズを検出できる。また、検出した原稿の主走査方向のサイズと、原稿の副走査方向のサイズを検出するセンサの検出結果とにより、ガラス４に設定された原稿の定型サイズを決めることができる。
【００４９】
尚、上記で説明した原稿サイズ検出装置１は、例えば、デジタル複合機等に搭載されている画像読取装置等に使用される。この画像読取装置は、原稿サイズ検出装置１と、例えば、印刷部（不図示）と、通信部（不図示）を備えている。この画像読取装置は、原稿からのランプ光の反射光を受けて画素データを出力する読み取り素子等の読取り手段を備えたキャリッジをスキャンさせてガラス４上の原稿を読み取る。そして、この読み取った結果を、例えば、原稿サイズ検出装置１により検出したサイズの用紙に印刷部（不図示）により印刷する。また、通信部（不図示）を介して接続した情報処理装置等の上位装置に、この読み取ったデータのうちの原稿サイズ検出装置１が検出した原稿のサイズに応じた範囲のデータを転送する。
【００５０】
上記の実施形態の一部または全部は、以下の付記のように記載され得るが、以下には限られない。
（付記１）
読み取る原稿を設定するガラスと、
閉じた状態で前記ガラスを覆い前記ガラスを覆う側が白色のカバーと、
前記カバーを開いた状態で、原稿読取用ランプを消灯して前記設定された前記原稿を主走査方向に読み取り第一の読取結果を取得し、前記カバーを開いた状態で、前記原稿読取用ランプを点灯して前記主走査方向に前記原稿を読み取り第二の読取結果を取得し、前記カバーを閉じた状態で、前記原稿読取用ランプを点灯して前記主走査方向に前記原稿を読み取り第三の読取結果を取得する画像読取部と、
前記第三の読取結果から前記第二の読取結果を引きこの結果に前記第一の読取結果を足した演算データの値が所定値以下に変化する前記主走査方向の前記演算データの位置に基づいて前記原稿のエッジ位置を検出し、このエッジ位置に基づいて前記原稿の主走査方向のサイズを検出する原稿サイズ検出部と、
を備えたことを特徴とする原稿サイズ検出装置。
（付記２）
前記原稿サイズ検出部は、前記第二の読取結果から前記第一の読取結果を引き正の部分を取得して第一の差分データとし、前記第三の読取結果から前記第一の差分データを引いた第二の差分データ内の、注目データの値と、注目データの周囲のデータの値の平均との差分を前記主走査方向に順次取り、この差分が所定の閾値以下になったときの前記注目データの位置に基づいて前記原稿のエッジ位置を検出する、
ことを特徴とする付記１記載の原稿サイズ検出装置。
（付記３）
前記画像読取部は、前記カバーを、方形面を有する前記ガラス面の前記原稿を設定する位置の主走査方向の端部の外側を軸にして開いた前記ガラス面からの所定の第一の角度の開状態にて前記第一の読取結果を取得し、前記カバーを、前記ガラス面からの前記第一の角度より少なくとも小さな角度である所定の第二の角度の開状態にて前記第二の読取結果を取得する、
ことを特徴とする付記２記載の原稿サイズ検出装置。
（付記４）
前記原稿サイズ検出部は、検出した前記エッジ位置と、読み取る原稿を設定する前記ガラス面の原稿設定位置とに基づいて前記原稿の前記主走査方向のサイズを検出する、
ことを特徴とする付記２又は３記載の原稿サイズ検出装置。
（付記５）
前記原稿を設定する前記ガラスの副走査方向に沿って設定し、前記原稿の副走査方向のサイズを検出する複数の副走査方向サイズセンサを更に備え、
前記原稿サイズ検出部は、前記検出した前記原稿の主走査方向のサイズと、前記複数の副走査方向サイズセンサが検出した前記原稿の副走査方向のサイズとに基づき、前記原稿サイズを決定する、
ことを特徴とする付記２、３又は４記載の原稿サイズ検出装置。
（付記６）
付記５記載の原稿サイズ検出装置と、
印刷部と、を備え、
前記原稿サイズ検出装置の前記画像読取部は、読取り手段を備えたキャリッジを有し、前記キャリッジをスキャンさせてガラス上の原稿を読み取り、この読み取ったデータを出力し、前記印刷部は、前記原稿サイズ検出装置が検出した前記原稿サイズの用紙に前記読み取ったデータを印刷する、
ことを特徴とする画像読取装置。
（付記７）
情報処理装置に接続され、前記読み取ったデータのうちの前記原稿サイズ検出装置が検出した前記原稿サイズに応じた範囲の前記読み取ったデータを前記情報処理装置に転送する通信部を、更に備えた、
ことを特徴とする付記６記載の画像読取装置。
（付記８）
閉じた状態で原稿を読み取る際に原稿を設定する方形面を有するガラスを覆い、前記ガラスを覆う側が白色のカバーを、開いた状態にして原稿読取用ランプを消灯し前記ガラスに設定された原稿を主走査方向に読み取り第一の読取結果を取得し、
前記カバーを開いた状態で、前記原稿読取用ランプを点灯して前記主走査方向に前記原稿を読み取り第二の読取結果を取得し、
前記カバーを閉じた状態で、前記原稿読取用ランプを点灯して前記主走査方向に前記原稿を読み取り第三の読取結果を取得し、
前記第三の読取結果から前記第二の読取結果を引き、
この結果に前記第一の読取結果を足した演算データの値が所定値以下に変化する前記主走査方向の前記演算データの位置に基づいて前記原稿のエッジ位置を検出し、
このエッジ位置に基づいて前記原稿の主走査方向のサイズを検出する、
ことを特徴とする原稿サイズ検出方法。
（付記９）
前記第二の読取結果から前記第一の読取結果を引き正の部分を取得して第一の差分データとし、
前記第三の読取結果から前記第一の差分データを引いた第二の差分データ内の、注目データの値と、注目データの周囲のデータの値の平均との差分を前記主走査方向に順次取り、この差分が所定の閾値以下になったときの前記注目データの位置に基づいて前記原稿のエッジ位置を検出する、
ことを特徴とする付記８記載の原稿サイズ検出方法。
（付記１０）
前記カバーを、方形面を有する前記ガラス面の前記原稿を設定する位置の主走査方向の端部の外側を軸にして開いた前記ガラス面からの所定の第一の角度の開状態にて前記第一の読取結果を取得し、
前記カバーを、前記ガラス面からの前記第一の角度より少なくとも小さな角度である所定の第二の角度の開状態にて前記第二の読取結果を取得する、
ことを特徴とする付記９記載の原稿サイズ検出方法。
（付記１１）
検出した前記エッジ位置と、読み取る原稿を設定する前記ガラス面の原稿設定位置とに基づいて前記原稿の前記主走査方向のサイズを検出する、
ことを特徴とする付記９又は１０記載の原稿サイズ検出方法。
（付記１２）
前記原稿の副走査方向のサイズを検出し、
前記検出した前記原稿の主走査方向のサイズと、前記検出した前記原稿の副走査方向のサイズとに基づき、前記原稿サイズを決定する、
ことを特徴とする付記９、１０又は１１記載の原稿サイズ検出方法。
【符号の説明】
【００５１】
１    原稿サイズ検出装置
２  画像読取部
３  原稿サイズ検出部
４  ガラス
５  カバー
６  角度センサ
７  副走査方向サイズセンサＡ
８  副走査方向サイズセンサＢ
【図１】
2014179885.tif 000003
【図２Ａ】
2014179885.tif 000004
【図２Ｂ】
2014179885.tif 000005
【図２Ｃ】
2014179885.tif 000006
【図３Ａ】
2014179885.tif 000007
【図３Ｂ】
2014179885.tif 000008
【図４】
2014179885.tif 000009
【図５Ａ】
2014179885.tif 000010
【図５Ｂ】
2014179885.tif 000011
【図６】
2014179885.tif 000012
【図７】
2014179885.tif 000013
【図８】
2014179885.tif 000014
【図９】
2014179885.tif 000015